(57)【要約】【課題】  従来の冷蔵庫は、使用頻度の高い扉の開閉に対して、冷蔵庫本体内の冷気を遮断する手段がなく、扉に収納されている飲料品等の取出しの扉開閉で冷蔵庫本体内の冷気が大量に冷蔵庫外に排出されて、消費電力量が多かった。【解決手段】  正面開口部を有する庫本体と前記正面開口部を開閉する扉とを有する冷蔵庫において、正面開口部を開閉する枠体開口部を設けた枠体と、枠体パッキンと、枠体取手と、枠体開口部の全面を覆うカバーと、枠体開口部を開閉する扉と、扉パッキンと、扉取手と、扉に飲み物等を収納するために設けたポケットと、扉に卵等を収納するために設けた棚と、からなることを特徴とする二重扉構造の冷蔵庫とした。これにより、扉開閉で冷蔵庫本体内の冷気が大量に冷蔵庫外に排出されることを防止して、冷蔵庫の電気消費量を少なくすることができる。【選択図】図２
2006038437.tif 000002
【特許請求の範囲】
【請求項１】
正面開口部を有する庫本体と前記正面開口部を開閉する扉とを有する冷蔵庫において、前記庫本体に設けられた枠体用ヒンジピンを有する枠体用ヒンジ取り付板と、
前記枠体用ヒンジピンと嵌合する枠体用ヒンジピン穴を有し、この枠体用ヒンジピン穴を支点に前記正面開口部を開閉する枠体開口部を設けた枠体と、
前記枠体の前記庫本体側に設けた枠体パッキンと、
前記枠体を開閉するため前記枠体に設けた枠体取手と、
前記枠体の前記庫本体側に冷気を通す通気口を設け前記枠体開口部の全面を覆うカバーと、
前記枠体に設けられた扉用ヒンジピンを有する扉用ヒンジ取り付板と、
前記扉用ヒンジピンと嵌合する扉用ヒンジピン穴を有し、この扉用ヒンジピン穴を支点に前記枠体開口部を開閉する扉と、
前記扉の前記枠体側に設けた扉パッキンと、
前記扉を開閉するため前記扉に設けた扉取手と、
前記扉の庫本体側に飲み物等を収納するために設けたポケットと、
前記扉の庫本体側に卵等を収納するために設けた棚と、
からなることを特徴とする二重扉構造の冷蔵庫。
【発明の詳細な説明】
【技術分野】
【０００１】  本発明は、家庭用または業務用の冷蔵庫に関するものである。
【背景技術】
【０００２】  従来の冷蔵庫には、冷蔵庫の開口部内側に、冷熱を遮断するカーテンを開閉可能に配設したものがある（例えば、特許文献１参照。）。【０００３】  以下、図４により従来の冷蔵庫について説明する。図において、庫本体１の正面開口部２の上部にトーションスプリングの作用により巻き上げ可能なカーテン３を取り付けて、カーテン３の下端４に磁石５が設けられている。【０００４】  カーテン３を降ろして磁石５の磁力で庫本体１に固定して冷熱を遮断する構造である。
【特許文献１】    特開２００２−３１４７０  公報
【発明の開示】
【発明が解決しようとする課題】
【０００５】  以上に述べた従来の冷蔵庫では、扉６を頻繁に開閉するときはカーテン３を巻き上げておき、冷蔵庫を長時間使用しない場合に、カーテン３を降ろして冷気が扉６の内側に直接当たらないようにして電力の浪費を抑えるものであった。【０００６】  冷蔵庫を使用する場合、庫本体１内に収納された食物の出し入れよりも、扉６に設けられたポケット７に収納されているジュース、牛乳、ビール、ミネラルウオーター、ウーロン茶等の飲料品の取出し、または、扉６に設けられた棚１９に収納されている卵、調味料、ヨーグルト、バター等の小物食品等を取出すほうが冷蔵庫使用の頻度が高く、この飲料品および小物食品等の取出し時の扉６開閉により冷気が庫本体１から放散される。【０００７】  しかし、従来の冷蔵庫では、扉６を頻繁に開閉するときはカーテン３を巻き上げておき、冷蔵庫を長時間使用しない場合に、カーテン３を降ろして冷気が扉６の内側に直接当たらないようにして電力の浪費を抑えるものであるために、カーテン３を降ろして扉６を閉めた場合、磁石５の磁力で庫本体１にカーテン３が固定されているので、扉６のポケット７に収納された飲料品等でカーテン３が押されて、変形、または磁石５が外れてカーテン３が巻き上がる。【０００８】  本発明は、このような従来の構成が有していた問題を解決しようとするものであり、扉６の頻繁な開閉による庫本体１内の冷気拡散防止を目的とするものである。
【課題を解決するための手段】
【０００９】  そして、本発明は上記目的を達成するために、
正面開口部を有する庫本体と前記正面開口部を開閉する扉とを有する冷蔵庫において、
前記庫本体に設けられた枠体用ヒンジピンを有する枠体用ヒンジ取り付板と、
前記枠体用ヒンジピンと嵌合する枠体用ヒンジピン穴を有し、この枠体用ヒンジピン穴を支点に前記正面開口部を開閉する枠体開口部を設けた枠体と、
前記枠体の前記庫本体側に設けた枠体パッキンと、
前記枠体を開閉するため前記枠体に設けた枠体取手と、
前記枠体の前記庫本体側に冷気を通す通気口を設け前記枠体開口部の全面を覆うカバーと、
前記枠体に設けられた扉用ヒンジピンを有する扉用ヒンジ取り付板と、
前記扉用ヒンジピンと嵌合する扉用ヒンジピン穴を有し、この扉用ヒンジピン穴を支点に前記枠体開口部を開閉する扉と、
前記扉の前記枠体側に設けた扉パッキンと、
前記扉を開閉するため前記扉に設けた扉取手と、
前記扉の庫本体側に飲み物等を収納するために設けたポケットと、
前記扉の庫本体側に卵等を収納するために設けた棚と、
からなることを特徴とする二重扉構造の冷蔵庫である。【００１０】  上記課題解決手段による作用は次の通りである。すなわち、扉６を開いてポケット７または棚１９に収納されている飲料品等を取出しても、枠体８に設けられたカバー１４が庫本体１内の冷気を遮断するために冷気が外に出ることを極力防ぐことができる。また、庫本体１内の食料品を取出す場合、枠体８を開くために、枠体８に設けられたカバー１４が扉６内の冷気が外に出ることも極力防ぐことができる。
【発明の効果】
【００１１】  上述したように本発明の冷蔵庫は扉６の頻繁な開閉による庫本体１内の冷気の拡散防止ができ、冷蔵庫の電気消費量を少なくすることができる。
【発明を実施するための最良の形態】
【００１２】  以下、本発明の実施の形態を、図１、図２、図３及び図５に基づいて説明する。【００１３】  図において、庫本体１の前方上部および下部に、枠体用ヒンジピン１０を有する一対の枠体用ヒンジ取り付板１１を螺子留めして、枠体用ヒンジピン１０と嵌合する枠体用ヒンジピン穴２０を支点に正面開口部２を開閉する枠体開口部９を設けた枠体８が立設されている。枠体８には庫本体１側に枠体パッキン１２が取り付けられ、枠体８の外周部に枠体取手１３が設けられている。【００１４】  枠体パッキン１２の内側には、枠体開口部９を覆うように、通気口２２を設けたカバー１４を取り付け、枠体８の前方上部および下部に、扉用ヒンジピン１５を有する一対の扉用ヒンジ取り付板１６を螺子留めして、扉用ヒンジピン１５と嵌合する扉用ヒンジピン穴２１を支点に枠体開口部９を開閉する扉６が立設されている。扉６には庫本体１側に扉パッキン１７が取り付けられ、扉６の前面または外周部に扉取手１８が設けられている。【００１５】  以下、上記構成の動作を説明する。扉６に設けられたポケット７に収納されているジュース、牛乳、ビール、ミネラルウオーター、ウーロン茶等の飲料品、または、棚１９に収納されている卵、調味料、ヨーグルト、バター等の小物食品等を取出す場合、扉取手１８を引く事により扉６が開かれて、扉６に設けられたポケット７に収納されているジュース、牛乳、ビール、ミネラルウオーター、ウーロン茶等の飲料品、または、棚１９に収納されている卵、調味料、ヨーグルト、バター等の小物食品等を取出す。この時、カバー１４は、庫本体１内の冷気が拡散することを極力防ぐ。【００１６】  庫本体１内に収納された食料品を取出す場合、枠体取手１３を引く事により枠体８が開かれて、庫本体１内に収納された食料品を取出す。この時、カバー１４は、扉６内の冷気が拡散することを極力防ぐ。
【図面の簡単な説明】
【００１７】
【図１】  本発明の実施形態を示す冷蔵庫の斜視図。
【図２】  本発明の実施形態を示す冷蔵庫の図１におけるＡ−Ａ線断面図。
【図３】  本発明の実施形態を示す冷蔵庫の図２におけるＢ部拡大図。
【図４】  従来の冷蔵庫の断面図。
【図５】  本発明の実施形態を示す二重扉構造の分解図。
【符号の説明】
【００１８】  １  庫本体、２  正面開口部、３  カーテン、４  下端、５  磁石、６  扉、７  ポケット、８  枠体、９  枠体開口部、１０  枠体用ヒンジピン、１１  枠体用ヒンジ取り付板、１２  枠体パッキン、１３  枠体取手、１４  カバー、１５  扉用ヒンジピン、１６  扉用ヒンジ取り付板、１７  扉パッキン、１８  扉取手、１９  棚、２０  枠体用ヒンジピン穴、２１  扉用ヒンジピン穴、２２  通気口。
【図１】
2006038437.tif 000003
【図２】
2006038437.tif 000004
【図３】
2006038437.tif 000005
【図４】
2006038437.tif 000006
【図５】
2006038437.tif 000007